(57)【特許請求の範囲】
【請求項１】
車両の乗員が着座する着座位置で固定されるとともに、固定が解除されると前記着座位置から離れた離脱位置へ移動可能にシート本体に取り付けられたシートクッションを有し、前記シートクッションが前記離脱位置にあるときにチャイルドシートを装着可能な車両用シートであって、
前記シートクッションの固定が解除されたときに、前記シートクッションと前記シート本体とを接続しながら、前記シートクッションの前記着座位置から前記離脱位置への移動を許容する移動手段と、
前記シートクッションが前記着座位置にある状態で前記シートクッションの下方に配置され、前記シートクッションが前記離脱位置にあるときに前記チャイルドシートが載置される載置手段と、
前記載置手段の上面に配置され、弾性体で形成された突起部とを備えた
ことを特徴とする、車両用シート。
【請求項２】
前記突起部は、先端が尖った形状に形成されている
ことを特徴とする、請求項１記載の車両用シート。
【請求項３】
前記突起部は、前記載置手段と一体に形成されている
ことを特徴とする、請求項１又は２記載の車両用シート。
【請求項４】
前記突起部は、前記載置手段と別体に形成され、前記載置手段に着脱可能に取り付けられている
ことを特徴とする、請求項１又は２記載の車両用シート。
【請求項５】
前記車両にはエアバッグ装置が備えられ、
前記シートクッションの固定を解除する解除手段と、
前記解除手段による前記シートクッションの固定の解除を検出する検出手段と、
前記エアバッグ装置の作動を停止する停止手段とをさらに備え、
前記停止手段は、前記検出手段により前記シートクッションの固定の解除が検出されると、前記エアバッグ装置の作動を停止させる
ことを特徴とする、請求項１〜４の何れか１項に記載の車両用シート。
【請求項６】
前記シート本体に取り付けられたシートバックと、
前記シートバックの下方に配置され、前記チャイルドシートを前記シート本体に接続する接続手段とをさらに備え、
前記接続手段は、前記シートクッションが前記着座位置にあるときには前記チャイルドシートの接続が禁止され、前記シートクッションが前記離脱位置にあるときに前記チャイルドシートの接続が許可される
ことを特徴とする、請求項１〜５の何れか１項に記載の車両用シート。
【請求項７】
助手席に用いられる
ことを特徴とする、請求項１〜６の何れか１項に記載の車両用シート。
【発明の詳細な説明】
【技術分野】
【０００１】
本発明は、チャイルドシートを装着可能な車両用シートに関するものである。
【背景技術】
【０００２】
近年、チャイルドシートを装着可能な車両用シートに関する種々の技術が開発されている。
具体的には、特許文献１に記載されているように、助手席等のシートクッションの座面上にチャイルドシートを載置し、国際標準規格のチャイルドシート用固定方式（例えばＩＳＯ−ＦＩＸ）対応の固定具でチャイルドシートを固定する車両用シートの技術が開発されている。
【０００３】
また、特許文献２に記載されているように、シートクッションを上下に２分割して上部着座部と下部着座部とを形成し、上部着座部を取り外した状態で下部着座部にチャイルドシートを載置し、チャイルドシートの後部に設けられたロック部材のロック爪をストライカーに係止する車両用シートの技術が開発されている。
【特許文献１】特開２００２−３４７４８６号公報
【特許文献２】特開２００１−２７０３５５号公報
【発明の開示】
【発明が解決しようとする課題】
【０００４】
しかしながら、特許文献１記載の技術によれば、シートクッションの座面上にチャイルドシートを載置しており、特に助手席にチャイルドシートを装着する場合、ドライバーの側方の視界を確保し難いという課題がある。
一方、特許文献２記載の技術のようにシートクッションの少なくとも一部（上部着座部）を取り外してチャイルドシートを装着すれば、取り外した分だけチャイルドシートの装着時の高さを抑えることができるので、ドライバーの側方の視界の確保に好ましい。
【０００５】
しかしながら、特許文献２記載の技術のような車両用シートにおいては、チャイルドシートが装着される部位（下部着座部）に、チャイルドシートが装着されず、乗員が着座する虞がある。このような乗員の着座は、走行中に特に好ましくない。
また、チャイルドシートには種々のタイプがあり、チャイルドシートの底部形状によっては、下部着座部の形状と適合せずに、ガタが発生する虞がある。
【０００６】
本発明はこのような課題に鑑み案出されたもので、その適正な使用を促しながら、チャイルドシートの装着性能の向上を図ることができるようにした、車両用シートを提供することを目的とする。
【課題を解決するための手段】
【０００７】
上記目的を達成するために、請求項１記載の本発明の車両用シートは、車両の乗員が着座する着座位置で固定されるとともに、固定が解除されると前記着座位置から離れた離脱位置へ移動可能にシート本体に取り付けられたシートクッションを有し、前記シートクッションが前記離脱位置にあるときにチャイルドシートを装着可能な車両用シートであって、前記シートクッションの固定が解除されたときに、前記シートクッションと前記シート本体とを接続しながら、前記シートクッションの前記着座位置から前記離脱位置への移動を許容する移動手段と、前記シートクッションが前記着座位置にある状態で前記シートクッションの下方に配置され、前記シートクッションが前記離脱位置にあるときに前記チャイルドシートが載置される載置手段と、前記載置手段の上面に配置され、弾性体で形成された突起部とを備えたことを特徴としている。
【０００８】
請求項２記載の本発明の車両用シートは、請求項１記載の車両用シートにおいて、前記突起部は、先端が尖った形状に形成されていることを特徴としている。
請求項３記載の本発明の車両用シートは、請求項１又は２記載の車両用シートにおいて、前記突起部は、前記載置手段と一体に形成されていることを特徴としている。
請求項４記載の本発明の車両用シートは、請求項１又は２記載の車両用シートにおいて、前記突起部は、前記載置手段と別体に形成され、前記載置手段に着脱可能に取り付けられていることを特徴としている。
【０００９】
請求項５記載の本発明の車両用シートは、請求項１〜４の何れか１項に記載の車両用シートにおいて、前記車両にはエアバッグ装置が備えられ、前記シートクッションの固定を解除する解除手段と、前記解除手段による前記シートクッションの固定の解除を検出する検出手段と、前記エアバッグ装置の作動を停止する停止手段とをさらに備え、前記停止手段は、前記検出手段により前記シートクッションの固定の解除が検出されると、前記エアバッグ装置の作動を停止させることを特徴としている。
【００１０】
請求項６記載の本発明の車両用シートは、請求項１〜５の何れか１項に記載の車両用シートにおいて、前記シート本体に取り付けられたシートバックと、前記シートバックの下方に配置され、前記チャイルドシートを前記シート本体に接続する接続手段とをさらに備え、前記接続手段は、前記シートクッションが前記着座位置にあるときには前記チャイルドシートの接続が禁止され、前記シートクッションが前記離脱位置にあるときに前記チャイルドシートの接続が許可されることを特徴としている。
【００１１】
請求項７記載の本発明の車両用シートは、請求項１〜６の何れか１項に記載の車両用シートにおいて、助手席に用いられることを特徴としている。
【発明の効果】
【００１２】
請求項１記載の本発明の車両用シートによれば、載置手段の上面に突起部が配置されているので、載置手段は着座する場所ではないことを、乗員に対して視覚的に認識させることができ、チャイルドシートが装着（載置）される場所への乗員の着座を防止することができる。また、突起部は弾性体で形成されているので、チャイルドシートが装着されたとき、荷重で撓み、載置手段とチャイルドシートとの間のガタを吸収し、装着の安定性を高めることができる。したがって、その適正な使用を促しながら、チャイルドシートの装着性能の向上を図ることができる。
【００１３】
請求項２記載の本発明の車両用シートによれば、突起部の先端が尖った形状に形成されているので、載置手段は着座する場所ではないことを乗員に対してより強く視覚的に認識させることができる。
請求項３記載の本発明の車両用シートによれば、突起部が載置手段と一体に形成されているので、突起部と載置手段とを一括して成形することができ、その成形工程を簡素にすることができる。
【００１４】
請求項４記載の本発明の車両用シートによれば、突起部が載置手段と別体に形成されているので、様々な形状の突起部を載置手段に容易に取り付けることができ、また、突起部のみを容易に交換することができる。
請求項５記載の本発明の車両用シートによれば、チャイルドシートを装着するための一連の操作だけでエアバッグ装置の作動を確実に停止し、エアバッグ装置によってチャイルドシートが圧迫されることを防止することができる。
【００１５】
請求項６記載の本発明の車両用シートによれば、接続手段によるチャイルドシートの接続はシートクッションが離脱位置にあるときにのみ許可されるので、チャイルドシートの装着がシートクッションの離脱位置への移動後に限定され、エアバッグ装置の作動をより確実に停止することができる。
請求項７記載の本発明の車両用シートによれば、チャイルドシートが助手席に装着されるので、ドライバーがチャイルドシートに拘束された幼児を容易に視認することができる。
【発明を実施するための最良の形態】
【００１６】
以下、図面により、本発明の実施の形態について説明する。
図１〜図５は、本発明の一実施形態の車両用シートを示す模式的な図であって、図１はシートクッションが離脱位置にあるときのその斜視図、図２はシートクッションが着座位置にあるときのその斜視図、図３はその分解斜視図、図４はチャイルドシートを装着したときのその側面図、図５は車室内の斜視図である。
【００１７】
＜構成＞
図１及び図２に示すように、車両用シート１は、シート本体となるフレーム１０と、乗員が着座するシートクッション２０と、乗員が背をもたれさせるシートバック３０とを主に備えて構成されて、図５に示すように、助手席用のシートとして用いられている。
また、車両用シート１は、図１及び図２に示すように、シートクッション２０の下方に配設され、シートクッション２０の固定を解除するストラップ（解除手段）４０と、シートクッション２０の固定の解除を検出する変位センサ（検出手段）５０と、シートクッション２０を移動させる一対のアーム（移動手段）６０と、チャイルドシート２（図４参照）を接続する一対のアンカ（接続手段）７０とを備えている。
【００１８】
さらに、車両用シート１は、図１及び図３に示すように、フレーム１０に固定されシートクッション２０を支持するカバープレート１２と、カバープレート１２の上方に配置されてカバープレート１２とともにシートクッション２０を支持するベースプレート（載置手段）１３と、シートバック３０の下方に配置され、フレーム１０に両端部を支持されて水平方向に延在するバー１４とを有している。
【００１９】
ベースプレート１３は、カバープレート１２にヒンジ（図示略）で回動可能に取り付けられ、カバープレート１２との間に所定の中空空間を形成している。この中空空間は、小物入れとして利用することができるようになっている。そして、ベースプレート１３には開口部１６が形成されて、この開口部１６がベースプレート１３をカバープレート１２に対して回動させる際の取っ手として機能するようになっている。なお、ベースプレート１３は、カバープレート１２に対して回動可能に設けられるのではなく、カバープレート１２から完全に切り離し可能に設けられていても良い。
【００２０】
また、本発明の大きな特徴として、ベースプレート１３は、その上面に、円錐状の突起（突起部）１５が複数配置され、チャイルドシート２が載置されるようになっている。
突起１５はそれぞれ、エラストマ（弾性体）で形成され、荷重が入力されると撓むようになっている。また、突起１５はそれぞれ、ベースプレート１３と別体に形成されるとともに、図示しないネジ溝が形成され、ベースプレート１３のネジ穴（図示略）にねじ込まれてベースプレート１３に着脱可能に取り付けられている。なお、突起１５にネジ穴を形成して、別体のネジにより突起１５をベースプレート１３に着脱可能に取り付けられていても良い。もしくは、突起１５は抜け防止用羽根付きに構成されるとともに、ベースプレート１３には穴が開穿されて、羽根付きの突起１５をその穴に差し込むことにより、突起１５がベースプレート１３に着脱可能に取り付けられていても良い。
【００２１】
シートクッション２０は、図３に示すように、クッションパッド２１と、クッションパッド２１の下方でクッションパッド２１を支持するクッションパン２２とを有している。そして、シートクッション２０は、乗員が着座する着座位置Ｐ1でラッチによりフレーム１０に固定され、乗員がストラップ４０を操作することでその固定が解除されたときには、アーム６０により着座位置Ｐ1から離れた離脱位置Ｐ2へ移動可能になっている。ここで、カバープレート１２及びベースプレート１３とシートクッション２０との間には、プッシュアップスプリング（付勢手段；図示略）が配置され、シートクッション２０を常時、上方に付勢するようになっている。
【００２２】
一対のアーム６０はそれぞれ、シートクッション２０の左右両端部に配置され、シート前後方向に延在している。また、アーム６０は、その一端部がフレーム１０に回転自在に取り付けられるとともに、その他端部がクッションパン２２に回転自在に取り付けられ、シートクッション２０を着座位置Ｐ1と離脱位置Ｐ2との間で移動させることができるようになっている。
【００２３】
一対のアンカ７０は、ＩＳＯ−ＦＩＸ対応のものであって、シートバック３０の下方に位置するバー１４に取り付けられ、シートクッション２０が着脱位置Ｐ1にあるときには、隠れた状態にある（図２参照）。そして、シートクッション２０が離脱位置Ｐ2に移動したときに露出し（図１参照）、チャイルドシート２のコネクタ（図示略）が接続されて、チャイルドシート２を固定可能になっている。つまり、アンカ７０に対し、シートクッション２０が着座位置Ｐ1にあるときにはチャイルドシート２のコネクタの接続が禁止され、シートクッション２０が離脱位置Ｐ2にあるときにはチャイルドシート２のコネクタの接続が許可されるようになっている。
【００２４】
ところで、図５に示すように、車室内には、車両用シート１の前方におけるダッシュボード３内に配置された助手席用のエアバッグ（エアバッグ装置）４と、エアバッグ４の作動が停止したときに点灯する警告灯５と、エアバッグ４及び警告灯５の作動を制御する制御装置（停止手段）８０とが配置されている。また、図示しないエンジンルームには、車両に入力された衝撃を感知する衝撃センサ６が配置されている。
【００２５】
制御装置８０は、衝撃センサ６と変位センサ５０とに電気的に接続され、衝撃センサ６の検出結果に応じてエアバッグ４を作動させるとともに、変位センサ５０によってシートクッション２０の固定の解除が検出されると、エアバッグ４の作動を停止するようになっている。
＜作用・効果＞
本発明の一実施形態にかかる車両用シートは上述のように構成されているので、以下のような作用・効果がある。
【００２６】
チャイルドシート２の装着手順について説明する。
最初に、乗員がストラップ４０を前方に引いて（図２の矢印Ａ参照）、シートクッション２０の固定を解除する。すると、カバープレート１２及びベースプレート１３とシートクッション２０との間のプッシュアップスプリングによって、シートクッション２０が着座位置Ｐ1から上方に持ち上げられる。このとき、変位センサ５０によってシートクッション２０の固定の解除が検出され、制御装置８０によってエアバッグ４の作動が停止されると同時に警告灯５が点灯する。
【００２７】
続いて、乗員がシートクッション２０を前方へ動かすと、アーム６０によりシートクッション２０はフレーム１０と接続されたまま、離脱位置Ｐ2へと移動する（図１参照）。すると、アンカ７０が現われる。ここで、チャイルドシート２をベースプレート１３上に載置し、アンカ７０とチャイルドシート２のコネクタとを接続することで、図４に示すように、チャイルドシート２が車両用シート１に装着される。このとき、エアバッグの作動は確実に停止している。
【００２８】
このように、チャイルドシート２の装着が、ストラップ４０によりシートクッション２０の固定を解除したときに限定されるので、制御装置８０により固定の解除に連動してエアバッグ４の作動が自動的に停止され、チャイルドシート２を装着するための一連の操作だけでエアバッグ４の作動を確実に停止し、エアバッグ４が作動した場合にチャイルドシート２が圧迫されることを防止することができる。加えて、アンカ７０はシートクッション２０が離脱位置Ｐ2にあるときにのみ現われるので、アンカ７０によるチャイルドシート２の固定は、シートクッション２０の離脱位置Ｐ2への移動後にのみ許可され、エアバッグ４の作動をより確実に停止することができる。そして、エアバッグ４の作動が停止したとき、警告灯５が点灯するので、ドライバーがエアバッグ４の作動の停止を容易に視認することができる。
【００２９】
また、ベースプレート１３の上面に突起１５が配置されているので、ベースプレート１３は着座する場所ではないことを乗員に対して視覚的に認識させることができ、チャイルドシート２が装着される場所への乗員の着座を、コストの増大を抑制しながら、防止することができる。
また、突起１５はエラストマで形成されているので、チャイルドシート２が装着されたとき、荷重で容易に撓み、ベースプレート１３とチャイルドシート２との間のガタを吸収し、装着の安定性を高めることができる。
【００３０】
また、突起部１５は円錐状に形成されているので、その尖った先端形状によって、ベースプレート１３は着座する場所ではないことを、乗員に対してより強く視覚的に認識させることができる。
また、チャイルドシート２が助手席に装着されるので、ドライバーがチャイルドシート２に拘束された幼児を容易に視認することができる。
【００３１】
また、シートクッション２０が配置されていた空間にチャイルドシート２を装着することができるので、例えばシートクッションの座面上にチャイルドシートを載置する従来技術に比べて、チャイルドシート２の装着時の高さを抑えることができる。したがって、チャイルドシート２を助手席に装着しても、チャイルドシート２がドライバーの視界の妨げにならず、ドライバーの視界を良好に確保することができる。
【００３２】
また、アンカ７０がＩＳＯ−ＦＩＸ対応のものであるので、チャイルドシート２の装着の汎用性・互換性をより広く確保することができる。
また、突起１５がベースプレート１３と別体に形成されているので、様々な形状の突起１５を要望に応じて適宜選定し、ベースプレート１３に容易に取り付けることができ、また、例えば突起１５が老朽化或いは破損したような場合には、突起１５のみを容易に交換することができる。
【００３３】
＜その他＞
以上、本発明の実施形態について説明したが、本発明は、上記実施形態に限定されず、本発明の趣旨を逸脱しない範囲で種々変形することが可能である。
例えば、上記実施形態において、突起１５は、ベースプレート１３の上面に４個配置されたが、配置される個数はこれに限らず、３個以下であっても良いし５個以上であっても良い。また、突起１５は、円錐状に形成されたが、乗員にベースプレート１３が着座場所でないことを案内する機能を果たし、且つ、ベースプレート１３の上面とチャイルドシート２の底部とのガタを吸収する機能を果たす形状であれば、どのような形状であっても良い。例えば、突起１５は、三角錐状であっても良いし、半球状であっても良いし、図６に示すように蛇腹状であっても良い。ただし、先端が尖った形状に形成されていれば、着座場所でないことを案内する機能の点でより好ましい。
【００３４】
また、上記実施形態において、突起１５はベースプレート１３と別体に形成されているが、ベースプレート１３と一体に形成されていても良い。これによれば、突起１５とベースプレート１３とを一括して成形することができ、その成形工程を簡素にすることができる。このとき、突起１５には弾性に富む樹脂を用いる一方、ベースプレート１３には剛性が高い樹脂を用いて、ダブルインジェクション成形をすることが好ましい。
【００３５】
また、上記実施形態において、フレーム１０はカバープレート１２とベースプレート１３とを有し、ベースプレート１３の上面に突起１５を配置したが、例えばフレーム１０がベースプレート１３を有さず、カバープレート１２（載置手段）の上面に突起１５を配置しても良い。つまり、フレーム１０は、チャイルドシート２が載置されるように略水平に広がる上面を持つ部材（載置手段）を少なくとも一つ有し、その部材の上面に突起１５が配置されていれば良い。
【００３６】
また、上記実施形態において、一対のアーム６０で移動手段を構成したが、一本のアームで移動手段を構成し、シートクッション２０を揺動移動できるようにしても良い。もしくは、アーム６０をスライドレールに代えて移動手段を構成し、シートクッション２０を着脱位置Ｐ1と離脱位置Ｐ2との間でスライド移動できるようにしても良い。
また、上記実施形態において、ＩＳＯ−ＦＩＸ対応のアンカ７０を接続手段としたが、必ずしもＩＳＯ−ＦＩＸ対応のものに限らず、接続手段は、チャイルドシート２を車両用シート１にしっかりと接続できるものであれば良い。
【００３７】
また、上記実施形態において、車両用シート１を自動車の助手席に適用した場合について説明したが、自動車以外の車両や助手席以外の座席にも適用することがもちろん可能である。
【図面の簡単な説明】
【００３８】
【図１】本発明の一実施形態に係る車両用シートを示すものであって、シートクッションが離脱位置にあるときの模式的な斜視図である。
【図２】本発明の一実施形態に係る車両用シートを示すものであって、シートクッションが着座位置にあるときの模式的な斜視図である。
【図３】本発明の一実施形態に係る車両用シートを示す模式的な分解斜視図である。
【図４】本発明の一実施形態に係る車両用シートを示すものであって、チャイルドシートを装着したときの模式的な側面図である。
【図５】本発明の一実施形態に係る車両用シートを備えた車室内の模式的な斜視図である。
【図６】本発明の一実施形態に係る車両用シートの変形例における突起の模式的な断面図である。
【符号の説明】
【００３９】
１  車両用シート
２  チャイルドシート
３  ダッシュボード
４  エアバッグ（エアバッグ装置）
５  警告灯
６  衝撃センサ
１０  フレーム（シート本体）
１２  カバープレート（載置手段）
１３  ベースプレート（載置手段）
１４  バー
１５，１５Ａ  突起（突起部）
１６  開口部（取っ手）
２０  シートクッション
２１  クッションパッド
２２  クッションパン
３０  シートバック
４０  ストラップ（解除手段）
５０  変位センサ（検出手段）
６０  アーム（移動手段）
７０  アンカ（接続手段）
８０  制御装置（停止手段）
【図１】
0004872848.tif 000002
【図２】
0004872848.tif 000003
【図３】
0004872848.tif 000004
【図４】
0004872848.tif 000005
【図５】
0004872848.tif 000006
【図６】
0004872848.tif 000007